(57)【要約】【課題】電源を接続／切断する試験を自動的に行うことができる情報処理装置の製造方法および電源接続切断装置を提供する。【解決手段】情報処理装置と電源接続切断装置が通信する通信ステップと、情報処理装置の情報処理を停止させる停止ステップと、上記通信ステップによる通信に応じて、予め設定した遅延時間後に電源接続切断装置が情報処理装置の電源を切断する切断ステップと、  電源接続切断装置が情報処理装置の電源を接続する接続ステップと、上記接続ステップに応じて、情報処理装置が起動する起動ステップと、上記起動後、情報処理装置が起動回数情報を更新する更新ステップとを備える。【選択図】        図４
2009187051.tif 000002
【特許請求の範囲】
【請求項１】
情報処理装置と電源接続切断装置が通信する通信ステップと、
情報処理装置の情報処理を停止させる停止ステップと、
前記通信ステップによる通信に応じて、予め設定した遅延時間後に電源接続切断装置が情報処理装置の電源を切断する切断ステップと、
電源接続切断装置が情報処理装置の電源を接続する接続ステップと、
前記接続ステップに応じて、情報処理装置が起動する起動ステップと、
前記起動後、情報処理装置は起動回数情報を更新する更新ステップとを備えることを特徴とする情報処理装置の製造方法。
【請求項２】
前記通信ステップは、前記遅延時間を情報処理装置から電源接続切断装置に通知することを特徴とする請求項１記載の情報処理装置製造方法。
【請求項３】
前記切断ステップおよび前記接続ステップは、複数の電源をあらかじめ設定した時間差を設けて切断および接続することを特徴とする請求項１および２記載の情報処理装置製造方法。
【請求項４】
前記起動回数情報が所定の条件を満たす場合、電源接続切断装置は前記切断ステップ後の接続ステップの実行を停止することを特徴とする請求項１乃至３記載の情報処理装置製造方法。
【請求項５】
情報処理装置からの通信に応じて、予め設定した遅延時間後に情報処理装置の電源の接続を切断する切断部と、
切断部による電源切断後、情報処理装置の電源を接続する接続部とを有することを特徴とする電源接続切断装置。
【請求項６】
情報処理装置の情報処理を停止させる停止ステップと、
電源接続切断装置が、情報処理装置の電力消費が一定以下になった場合に、情報処理装置の電源を切断する切断ステップと、
電源接続切断装置が、情報処理装置の電源を接続する接続ステップと、
情報処理装置が、前記接続ステップに応じて、起動する起動ステップと、
前記起動後、情報処理装置が起動回数情報を更新する更新ステップとを備えることを特徴とする情報処理装置の製造方法。
【発明の詳細な説明】
【技術分野】
【０００１】
本発明は、情報処理を実行する情報処理装置を製造する情報処理装置の製造方法、および情報処理装置の電源を接続／切断する電源接続切断装置に関する。
【背景技術】
【０００２】
サーバ装置などといった常時稼動する情報処理装置では、停電などが発生した場合に、予め決められた手順で起動中のプログラムを停止させて、データや電子回路の破壊を防止したり、電力の供給が再開したときには、速やかに稼動を開始することが求められる。このため、サーバ装置などには、自装置を自動的に起動／シャットダウンする自動起動停止機能が搭載されていることが一般的である。
【０００３】
自動起動停止機能の試験方法としては、特許文献１および特許文献２に、情報処理装置にタイマーを搭載しておき、所定時間ごとに繰り返し自装置を起動／シャットダウンする試験方法が記載されており、特許文献３には、所定時間ごとに外部装置から起動指令やシャットダウン指令を受信し、それらの指令に応じて自装置を起動／シャットダウンする試験方法が記載されている。さらに、特許文献４には、起動からシャットダウンまでの時間間隔を変化させながら繰り返し自装置を動／シャットダウンする試験方法が記載されており、特許文献５には、自動的に起動することができない情報処理装置に対し、外部装置で情報処理装置の電源電圧の低下を検出してシャットダウンを確認し、情報処理装置に向けて起動指示を送信する試験方法などが記載されている。これらの試験方法によると、試験者が手動で情報処理装置を起動／シャットダウンする手間と時間を省くことができ、自動起動停止機能の試験にかかるコストを抑えることができる。
【０００４】
ところで、情報処理装置は、工場から出荷される前に、上述した自動起動停止機能を含む各種機能の実行試験が行われ、全ての試験を通過した装置のみが製品として市場に出回ることとなる。しかし、工場で試験を行っていても、納品先で製品の不具合が発見される着荷障害を完全になくすことはできていないのが現状である。着荷障害の中でも、ＡＣプラグをコンセントに差し込んでも情報処理装置の電源が投入されないＡＣ電源障害は、工場での試験を正確に実行していれば回避できる障害であるのにもかかわらず多発しているという問題がある。この原因として、上述した自動起動停止機能などの試験では、最初に一度、試験者が情報処理装置のＡＣプラグをコンセントに差し込めば、情報処理装置の内部で自動的に試験が実行されるが、ＡＣ電源障害の試験では、試験者が逐一、ＡＣプラグをコンセントに抜き挿しして、情報処理装置の電源が投入されるか否かを確認していることが考えられる。
【特許文献１】特開平１−１２６７４１号公報
【特許文献２】特開２００２−３２３５４５号公報
【特許文献３】特開平４−１０２０７５号公報
【特許文献４】特開２００６−２６７０１２号公報
【特許文献５】特開平２−３００８１２号公報
【発明の開示】
【発明が解決しようとする課題】
【０００５】
通常、情報処理装置には、電源電圧や形状が異なる複数のＡＣプラグが備えられていることが多く、さらに、プリンタや通信用機器などといった複数の外部装置と接続されていることが一般的である。このため、ＡＣ電源障害の試験を実行する際には、情報処理装置が自動的にシャットダウンされた後に、試験者は、情報処理装置の電源がＯＦＦされたことを確認して、予め決められた順序で情報処理装置および外部装置のＡＣプラグをコンセントから抜き、さらに、予め決められた順番でそれらのＡＣプラグをコンセントに挿し込みなおすことが繰り返されている。このように、試験者による手動操作が行われているために、ＡＣプラグの挿抜し忘れ、試験回数の間違い、誤ったコンセントにＡＣプラグを挿し込んでしまう、電源が完全にＯＦＦされていない状態でＡＣプラグを抜いてしまうなどといった不具合が発生する恐れがあるうえ、試験の手間や時間がかかってしまって、試験コストが上昇してしまうという問題がある。
【０００６】
上記事情に鑑み、電源を接続／切断する試験を自動的に行うことができる情報処理装置の製造方法および電源接続切断装置を提供する。
【課題を解決するための手段】
【０００７】
上記目的を達成する第１の製造方法の基本形態は、
情報処理装置と電源接続切断装置が通信する通信ステップと、
情報処理装置の情報処理を停止させる停止ステップと、
上記通信ステップによる通信に応じて、予め設定した遅延時間後に電源接続切断装置が情報処理装置の電源を切断する切断ステップと、
電源接続切断装置が情報処理装置の電源を接続する接続ステップと、
上記接続ステップに応じて、情報処理装置が起動する起動ステップと、
上記起動後、情報処理装置は起動回数情報を更新する更新ステップとを備える。
【０００８】
この第１の製造方法の基本形態によると、情報処理装置と電源接続切断装置との間で通信が行われた後、予め設定された遅延時間後に電源接続切断装置によって情報処理装置の電源が切断され、さらにその後、電源接続切断装置によって再び情報処理装置の電源が接続されて情報処理装置が起動される。遅延時間として、情報処理装置のシャットダウンにかかる時間よりも長い時間が設定されることによって、情報処理装置が完全に停止した状態で電源を切断することができ、情報処理装置の電源を接続／切断する試験を自動的に行うことができる。
【０００９】
また、上述した製造方法の基本形態に対して、
上記通信ステップは、上記遅延時間を情報処理装置から電源接続切断装置に通知するという応用形態は好ましい。
【００１０】
情報処理装置から電源接続装置に遅延時間が通知されることによって、プログラムなどが完全に停止した後で情報処理装置の電源を切断することができ、データの破壊や電子回路の故障などを防止することができる。
【００１１】
また、上述した製造方法の基本形態に対して、
上記切断ステップおよび上記接続ステップは、複数の電源をあらかじめ設定した時間差を設けて切断および接続するという応用形態は好適である。
【００１２】
サーバ装置などでは、電流容量の規制などによって電源が複数に分割されていることが多く、それら複数の電源は切断／接続順序が決められていることがある。この好適な製造方法によると、情報処理装置に備えられた複数の電源を予め設定された順序で切断／接続することができる。
【００１３】
また、上述した製造方法の基本形態に対して、
上記起動回数情報が所定の条件を満たす場合、電源接続切断装置は切断ステップ後の接続ステップの実行を停止するという応用形態は好ましい。
【００１４】
例えば、起動回数情報として試験の実行回数を設定しておくことによって、情報処理装置の電源を接続／切断する試験を、設定された実行回数だけ自動的に繰り返すことができる。
【００１５】
また、上記目的を達成する第２の製造方法の基本形態は、
情報処理装置の情報処理を停止させる停止ステップと、
電源接続切断装置が、情報処理装置の電力消費が一定以下になった場合に、情報処理装置の電源を切断する切断ステップと、
電源接続切断装置が、情報処理装置の電源を接続する接続ステップと、
情報処理装置が、前記接続ステップに応じて、起動する起動ステップと、
上記起動後、情報処理装置が起動回数情報を更新する更新ステップとを備える。
【００１６】
この第２の製造方法の基本形態によると、電源接続切断装置側で情報処理装置のシャットダウンを検出することができ、情報処理装置と電源接続装置との間で通信を行わずに、情報処理装置が完全に停止した状態で電源を切断することができる。
【００１７】
また、上記目的を達成する電源接続切断装置の基本形態は、
情報処理装置からの通信に応じて、予め設定した遅延時間後に情報処理装置の電源の接続を切断する切断部と、
切断部による電源切断後、情報処理装置の電源を接続する接続部とを有する。
【００１８】
この電源接続切断装置の基本形態によると、情報処理装置に対して、電源を接続／切断する試験を自動的に行うことができる。
【発明の効果】
【００１９】
以上説明したように、上述した情報処理装置の製造方法および電源接続切断装置の基本形態によると、情報処理装置に対して、電源を接続／切断する試験を自動的に行うことができる。
【発明を実施するための最良の形態】
【００２０】
以下、図面を参照して、上記説明した情報処理装置の基本形態および応用形態に対する具体的な実施形態を説明する。
【００２１】
図１は、上述した情報処理装置の製造方法および電源接続切断装置が適用された電源試験システムの概略構成図である。
【００２２】
図１に示す電源試験システムは、情報処理装置と電源との接続を切断したときに情報処理装置が自動的にシャットダウンし、情報処理装置と電源とを接続したときに情報処理装置が自動的に起動することを確認する電源試験を実行するシステムである。この電源試験システムには、上述した情報処理装置の一実施形態であり、電源試験の対象であるサーバ装置１と、上述した電源接続切断装置の一実施形態であり、サーバ装置１の電源状態（切断／接続）を制御するＡＣライン切断接続試験ユニット２とが備えられている。
【００２３】
サーバ装置１には、データを送受信するための通信ライン５と、電力の供給を受けるためのＡＣライン６が備えられており、それら通信ライン５およびＡＣライン６は、ＡＣライン切断接続試験ユニット２に接続されている。このサーバ装置１には、情報処理を行う情報処理機能に加えて、電源が接続されると自装置を自動的に起動する自動起動機能や、電源が切断されると自装置を自動的にシャットダウンする自動シャットダウン機能などが搭載されており、電源試験を実行するためのテストプログラム１０が予めインストールされている。テストプログラム１０は、サーバ装置１が起動すると自動的に実行されるプログラムであり、サーバ装置１のシャットダウンにかかる切断時間や、起動にかかる起動時間などを算出する算出機能１１と、ＡＣライン接続試験ユニット２に向けて制御命令などを伝える通信機能１２と、電源試験の開始／終了をＡＣライン切断接続試験ユニット２に通知する通知機能１３と、電源試験が正常に終了したことを表示画面上に表示する表示機能１４と、各種機能の実行タイミングを制御する制御機能１５とが備えられている。
【００２４】
ＡＣライン接続切断試験ユニット２には、サーバ装置１から伝えられる制御命令に従ってリレーを駆動する制御部３と、サーバ装置１のＡＣライン６と工場の電源から延びたＡＣライン７とが装着されるＡＣコンセント部４が備えられている。サーバ装置１は、ＡＣライン切断接続試験ユニット２を介して工場の電源から延びるＡＣライン７と接続されている。
【００２５】
図２は、ＡＣライン接続切断試験ユニット２の機能ブロック図であり、図３は、ＡＣコンセント部４における接続を示す図である。
【００２６】
ＡＣライン接続切断試験ユニット２の制御部３には、ＡＣライン接続切断試験ユニット２を動作させるための直流（ＤＣ）電源を入力する電力入力部３１、制御部３の低電圧ＩＣに所定の電圧が得られるようにするレギュレータ３２、サーバ装置１から伝えられた制御命令を解読してＡＣコンセント部４を制御するＭＣＵ（Ｍｉｃｒｏ  Ｃｏｎｔｒｏｌ  Ｕｎｉｔ）３６、ＭＣＵ３６に接続されクロック信号を発するＯＳＣ３３、ＡＣライン接続切断試験ユニット２の初期化処理などを実行するリセット部３４、およびサーバ装置１と通信を行うための通信ポート３５などが備えられている。
【００２７】
図３に示すように、サーバ装置１には、電源電圧やプラグ形状などが異なる複数のＡＣライン６＿１，６＿２，…，６＿Ｎが備えられており、ＡＣライン接続切断試験ユニット２のＡＣコンセント部４には、それら複数のＡＣライン６＿１，６＿２，…，６＿Ｎそれぞれと対応する複数の電源供給部４＿１，４＿２，…，４＿Ｎが用意されている。複数の電源供給部４＿１，４＿２，…，４＿Ｎが制御部３に制御されることによって、ＡＣラインが増加した場合であっても、電源供給部を容易に増設することができる。
【００２８】
図２に示すように、電源供給部４＿１，４＿２，…,４＿Ｎには、形状が異なる複数のプラグそれぞれに対応した複数のサーバ側コンセント４３と、電源電圧が異なる複数の電源側コンセント４４とが備えられており、サーバ側コンセント４３には、サーバ装置１から延びるＡＣライン６＿１，６＿２，…，６＿Ｎのプラグが装着され、電源側コンセント４４には、工場の電源から延びるＡＣライン７＿１，７＿２，７＿３のプラグが装着される。さらに、電源供給部４＿１，４＿２，…,４＿Ｎには、複数のサーバ側コンセント４３および複数の電源側コンセント４４のうち、ＡＣラインのプラグが装着されたコンセントを選択するスイッチ部４２と、スイッチ部４２で予め選択されたコンセントのスイッチを入切して、電源側のＡＣライン７＿１，７＿２，７＿３とサーバ装置１側のＡＣライン６＿１，６＿２，…，６＿Ｎとを接続／切断するＡＣライン接続切断用電力リレー４１も備えられている。ＡＣライン接続切断用電力リレー４１は、本実施形態における切断部の一例にあたるとともに、本実施形態における接続部の一例にも相当する。
【００２９】
図４は、サーバ装置１に対して電源試験を行うときの、サーバ装置１およびＡＣライン接続切断試験ユニット２それぞれにおける処理の流れを示すフローチャート図である。
【００３０】
電源試験を実行するのにあたり、試験者は、サーバ装置１から延びるＡＣライン６＿１，６＿２，…，６＿Ｎのプラグを、各ＡＣライン６＿１，６＿２，…，６＿Ｎと対応する電源供給部４＿１，４＿２，…,４＿Ｎの、ＡＣラインのプラグ形状に合ったサーバ側コンセント４３に装着する。続いて、試験者は、各電源供給部４＿１，４＿２，…,４＿Ｎに装着されたＡＣライン６＿１，６＿２，…，６＿Ｎの電源電圧と対応する電源側のＡＣライン７＿１，７＿２，７＿３のプラグを電源側コンセント４４に装着する。
【００３１】
ＡＣライン接続切断試験ユニット２では、電源側のＡＣライン７＿１，７＿２，７＿３とサーバ装置１側のＡＣライン６＿１，６＿２，…，６＿Ｎとが装着されると、スイッチ部４２において、使用するサーバ側コンセント４３と電源側コンセント４４との組み合わせが選択され、それらのコンセントに装着された電源側のＡＣライン７＿１，７＿２，７＿３とサーバ装置１側のＡＣライン６＿１，６＿２，…，６＿Ｎ同士が接続される（図４のステップＳ３１）。その結果、電源側のＡＣライン７＿１，７＿２，７＿３を通って工場の電源から供給された電力が、サーバ装置１側のＡＣライン６＿１，６＿２，…，６＿Ｎを通ってサーバ装置１に供給される。
【００３２】
サーバ装置１では、ＡＣライン６＿１，６＿２，…，６＿Ｎを介して電力が供給されると、自動起動機能によって起動処理が実行される（図４のステップＳ１１）。サーバ装置１が起動すると、図１に示すテストプログラム１０が自動的に起動する（図４のステップＳ１２）。
【００３３】
サーバ装置１には、不揮発性メモリが内蔵されており、テストプログラム１０の制御機能１５によって確認および更新されるカウンタパラメータ（初期値「０」）が用意されている。カウンタパラメータの値が「０（初期値）」である場合（図４のステップＳ１３：Ｎｏ）、テストプログラム１０の算出機能１１が実行され、サーバ装置１内で起動しているプログラムや電子部品等の構成に基づいて、シャットダウンにかかる切断時間、切断時間に所定時間（例えば、１分など）を加えた接続時間、起動にかかる起動時間が算出される。算出された切断時間、接続時間、および起動時間は、テストプログラム１０の通信機能１２によって、ＡＣライン接続切断試験ユニット２に向けて送信される（図４のステップＳ１４）。切断時間などをＡＣライン接続切断試験ユニット２に向けて送信するステップＳ１４の過程は、本実施形態における通信ステップの一例に相当する。
【００３４】
ＡＣライン接続切断試験ユニット２では、サーバ装置１から送信されてきた切断時間、接続時間、および起動時間が通信ポート３５を介してＭＣＵ３６に伝えられ（図４のステップＳ３２）、ＡＣライン接続切断試験ユニット２の初期化処理が実行される。その後、ＡＣライン接続切断試験ユニット２は、試験状態を通知するためのＬＥＤを消灯し、サーバ装置１から各種処理の開始を指示するトリガが発せられるまで待機状態となる。
【００３５】
サーバ装置１では、テストプログラム１０の制御機能１５によって、カウンタパラメータの値が確認される。カウンタパラメータの値が、予め設定されている繰り返し試験回数Ｎに達していない場合（図４のステップＳ１５：Ｎｏ）、テストプログラム１０の通知機能１３によって、ＡＣライン接続切断試験ユニット２に向けてサーバ装置１のシャットダウンが開始されることを示す開始トリガが発せられる（図４のステップＳ１８）。さらに、カウンタパラメータの値に「１」が加算されてカウンタパラメータが更新され（図４のステップＳ１９）、自動シャットダウン機能によってサーバ装置１のシャットダウンが開始される（図４のステップＳ２０）。サーバ装置１がシャットダウンされるステップＳ２０の過程は、本実施形態における停止ステップの一例にあたり、カウンタパラメータが更新されるステップＳ１９の過程は、本実施形態における更新ステップの一例に相当する。
【００３６】
ＡＣライン接続切断試験ユニット２では、サーバ装置１から発せられた開始トリガが受信されると（図４のステップＳ３５：Ｙｅｓ）、サーバ装置１から伝えられた切断時間後に、ＭＣＵ３６から各電源供給部４＿１，４＿２，…,４＿Ｎに向けてＡＣラインの切断指示が伝えられる。各電源供給部４＿１，４＿２，…,４＿Ｎでは、ＡＣライン接続切断用電力リレー４１によって、工場の電源側のＡＣライン７＿１，７＿２，７＿３とサーバ装置１側のＡＣライン６＿１，６＿２，…，６＿Ｎとが切断される（図４のステップＳ３７）。工場の電源側のＡＣライン７＿１，７＿２，７＿３とサーバ装置１側のＡＣライン６＿１，６＿２，…，６＿Ｎとが切断された状態は、サーバ装置１側のＡＣライン６＿１，６＿２，…，６＿Ｎのプラグが工場の電源に設けられたコンセントから抜かれて電力の供給が停止する状態に相当する。本実施形態においては、ＡＣライン接続切断試験ユニット２にサーバ装置１のシャットダウンにかかる切断時間が予め伝えられており、サーバ装置１においてシャットダウンが開始されて切断時間が経過した後で電力の供給が停止されることによって、シャットダウン中に電力が停止してしまう不具合を回避することができ、データや電子機器の破壊を防止することができる。工場の電源側のＡＣライン７＿１，７＿２，７＿３とサーバ装置１側のＡＣライン６＿１，６＿２，…，６＿Ｎとが切断されるステップＳ３７の過程は、本実施形態における切断ステップの一例に相当する。
【００３７】
さらに、ＡＣライン接続切断試験ユニット２では、サーバ装置１から伝えられた接続時間後に、ＭＣＵ３６から各電源供給部４＿１，４＿２，…,４＿Ｎに向けてＡＣラインの接続指示が伝えられる。各電源供給部４＿１，４＿２，…,４＿Ｎでは、工場の電源側のＡＣライン７＿１，７＿２，７＿３とサーバ装置１側のＡＣライン６＿１，６＿２，…，６＿Ｎとが再接続され（図４のステップＳ３８）、ＭＣＵ３６において、サーバ装置１の再起動が終了するまでの時間を計測するタイマのカウントが開始される（図４のステップＳ４０）。工場の電源側のＡＣライン７＿１，７＿２，７＿３とサーバ装置１側のＡＣライン６＿１，６＿２，…，６＿Ｎとが再接続されるステップＳ３８の過程は、本実施形態における接続ステップの一例に相当する。
【００３８】
工場の電源側のＡＣライン７＿１，７＿２，７＿３とサーバ装置１側のＡＣライン６＿１，６＿２，…，６＿Ｎとが接続されると、サーバ装置１側のＡＣライン６＿１，６＿２，…，６＿Ｎを介して工場の電源から電力が供給される。サーバ装置１では、電力が供給が再開されると、自動起動機能によって起動処理が実行され（図４のステップＳ２１）、サーバ装置１が正常に起動すると（図４のステップＳ２２：Ｎｏ）、テストプログラム１０が再起動されて（図４のステップＳ１２）、カウンタパラメータの値の確認および更新（図４のステップＳ１３，ステップＳ１５，ステップＳ１９）、サーバ装置１のシャットダウン（図４のステップＳ２０）、およびサーバ装置１の再起動（図４のステップＳ２１）が繰り返される。電力が供給が再開された後でサーバ装置１が自動起動するステップＳ２２の過程は、本実施形態における起動ステップの一例に相当する。
【００３９】
カウンタパラメータの値が、繰り返し試験回数Ｎに達すると（図４のステップＳ１５：Ｙｅｓ）、テストプログラム１０の通知機能１３によって、ＡＣライン接続切断試験ユニット２に向けてサーバ装置１の電源試験が正常に終了したことを示す終了トリガが発せられる（図４のステップＳ１７）。さらに、テストプログラム１０の表示機能１４によって、サーバ装置１の表示画面上に電源試験が正常に終了したことを通知するメッセージが表示される（図４のステップＳ１６）。
【００４０】
ＡＣライン接続切断試験ユニット２では、サーバ装置１から発せられた終了トリガが受信されると（図４のステップＳ３３：Ｙｅｓ）、試験結果を通知するためのＬＥＤに正常終了を表わす緑色の光が点灯される（図４のステップＳ３４）。
【００４１】
このように、本実施形態によると、試験者は、最初に１回だけ工場の電源側のＡＣライン７＿１，７＿２，７＿３およびサーバ装置１側のＡＣライン６＿１，６＿２，…，６＿ＮそれぞれのプラグをＡＣライン接続切断試験ユニット２のコンセントに装着するだけで、サーバ装置１の電源試験を自動的に行うことができ、試験の手間や時間を省いて製造コストを抑えることができる。また、ＡＣプラグの挿抜し忘れ、試験回数の間違い、誤ったコンセントにＡＣプラグを挿し込んでしまう、サーバ装置が完全に停止していない状態でＡＣプラグを抜いてしまうなどといった試験者によるミスを防止することができ、試験精度を向上させることができる。
【００４２】
ここで、サーバ装置１で不具合が発生し、工場の電源から電力が供給されても自動起動が開始されない場合（図４のステップＳ２２：Ｙｅｓ）、サーバ装置１はシャットダウンしたまま停止し、電源試験が中断してしまう。本実施形態では、ＡＣライン接続切断試験ユニット２において、工場の電源側のＡＣライン７＿１，７＿２，７＿３とサーバ装置１側のＡＣライン６＿１，６＿２，…，６＿Ｎとが再接続された後（図４のステップＳ３９）、タイマのカウントが開始されており（図４のステップＳ４０）、サーバ装置１から終了トリガや開始トリガが発せられず（図４のステップＳ３３：Ｎｏ，ステップＳ３５：Ｎｏ）、タイマのカウントが起動時間を超えた場合には（図４のステップＳ３６：Ｙｅｓ）、試験結果を通知するためのＬＥＤにサーバ装置１に障害が発生したことを表わす赤色の光が点灯される（図４のステップＳ３９）。サーバ装置１が電源試験中に停止してしまっても、試験者は、試験結果通知用のＬＥＤを確認することによって、サーバ装置１の障害を容易に発見することができる。
【００４３】
以上で、製造方法および電源接続切断装置の具体的な第１実施形態の説明を終了し、製造方法および電源接続切断装置の具体的な第２実施形態について説明する。第２実施形態については、サーバ装置１に周辺機器が接続されている点を除いては第１実施形態と同様の構成を有しているため、同じ要素については同じ符号を付して説明を省略し、第１実施形態との相違点についてのみ説明する。
【００４４】
図５は、上述した製造方法および電源接続切断装置の第２実施形態が適用された電源試験システムの概略構成図である。
【００４５】
本実施形態の電源試験システムでは、サーバ装置１にプリンタなどといった周辺機器１０１，１０２が接続されている。サーバ装置１および周辺機器１０１，１０２のＡＣライン６＿１，６＿２，６＿３は、ＡＣライン接続切断試験ユニット２の電源供給部４＿１，４＿２，４＿３にそれぞれ装着されており、サーバ装置１および周辺機器１０１，１０２側のＡＣライン６＿１，６＿２，６＿３は工場の電源側から延びるＡＣライン７＿１，７＿２，７＿３に間接的に接続されている。また、複数の電源供給部４＿１，４＿２，４＿３におけるＡＣラインの接続／切断タイミングは、制御部３によって制御される。
【００４６】
図６は、電源供給部４＿１，４＿２，４＿３におけるＡＣラインの接続／切断タイミングを示すタイミングチャート図である。
【００４７】
サーバ装置１に周辺機器１０１，１０２が接続されている場合、周辺機器１０１，１０２よりも先にサーバ装置１が起動してしまうと、サーバ装置１で周辺機器１０１，１０２を認識することができない場合がある。したがって、サーバ装置１の電源試験を実施する際には、周辺機器１０１，１０２をサーバ装置１よりも先に起動し、サーバ装置１がシャットダウンした後で周辺機器１０１，１０２の電源を切る必要がある。
【００４８】
図６に示すように、周辺機器１０１，１０２が接続された電源供給部４＿２，４＿３は、サーバ装置１が接続された電源供給部４＿１よりも先に、ＡＣライン接続切断用電力リレー４１（図２参照）のスイッチが「ＯＮ」となり、さらに、電源供給部４＿１よりも後でＡＣライン接続切断用電力リレー４１のスイッチが「ＯＦＦ」となるため、周辺機器１０１，１０２をサーバ装置１よりも先に起動し、サーバ装置１がシャットダウンした後で周辺機器１０１，１０２の電源を切ることができる。
【００４９】
このように、サーバ装置１や周辺機器から延びる複数のＡＣラインを別々の電源供給部４＿１に接続することによって、複数の電源供給部４＿１におけるサーバ装置１や周辺機器側のＡＣラインと工場の電源側のＡＣラインとの接続／切断タイミングを個別に制御することができ、サーバ装置や周辺機器への電力供給／停止をシーケンシャルに制御することができる。
【００５０】
以上で、製造方法および電源接続切断装置の具体的な第２実施形態の説明を終了し、製造方法および電源接続切断装置の具体的な第３実施形態について説明する。第３実施形態については、ＡＣライン接続切断試験ユニットにサーバ装置の電源電流を計測するための電流測定部が備えられている以外は、第１実施形態とほぼ同様の構成を有しているため、同じ要素については同じ符号を付して説明を省略し、第１実施形態との相違点についてのみ説明する。
【００５１】
図７は、第３実施形態におけるＡＣライン接続切断試験ユニット２´の機能ブロック図である。
【００５２】
図７に示すように、本実施形態のＡＣライン接続切断試験ユニット２´は、図２に示す第１実施形態のＡＣライン接続切断試験ユニット２とほぼ同様の構成を有しているが、電源供給部４＿１´，４＿２´，…,４＿Ｎ´に、電流センサとＡＤコンバータとで構成された電流測定部４５が備えられており、さらに、制御部３に、ＭＣＵ３６によって電流測定部４５内のＡＤコンバータを制御するための制御ライン３７が備えられている。
【００５３】
図８は、サーバ装置１およびＡＣライン接続切断試験ユニット２それぞれにおける処理の流れを示すフローチャート図である。
【００５４】
本実施形態においても、図４に示す第１実施形態と同様に、ＡＣライン接続切断試験ユニット２´によって電源側のＡＣライン７＿１，７＿２，７＿３とサーバ装置１側のＡＣライン６＿１，６＿２，…，６＿Ｎ同士が接続されると（図８のステップＳ３１）、サーバ装置１が起動し（図８のステップＳ１１）、テストプログラム１０が自動的に起動する（図８のステップＳ１２）。
【００５５】
続いて、サーバ装置１からＡＣライン接続切断試験ユニット２に接続時間、起動時間、および起動状態時の電源電流閾値が送信され（図８のステップＳ１４）、カウンタパラメータの値が繰り返し試験回数Ｎに達していない場合（図８のステップＳ１５：Ｎｏ）、カウンタパラメータの値が更新されるとともに（図８のステップＳ１９）、サーバ装置１がシャットダウンされる（図８のステップＳ２０）。本実施形態においては、図４に示す第１実施形態とは異なり、サーバ装置１からＡＣライン接続切断試験ユニット２に向けてシャットダウンの開始を示す開始トリガは発せられず、ＡＣライン接続切断試験ユニット２´側でサーバ装置１の電源電流が測定されることによって、サーバ装置１の起動／シャットダウンが検出される。
【００５６】
ＡＣライン接続切断試験ユニット２´では、サーバ装置１から接続時間、起動時間、および電源電流閾値が伝えられると（図８のステップＳ３２）、図７に示す電流測定部４５においてサーバ装置１の電源電流値が測定される。測定結果は、ＭＣＵ３６に伝えられる。
【００５７】
ＭＣＵ３６は、サーバ装置１の電源電流値が電源電流閾値以上である場合（図８のステップＳ５１：Ｙｅｓ）、電源電流値が「０」にまで低下するのを検出した後で各電源供給部４＿１´，４＿２´，…,４＿Ｎ´に向けてＡＣラインの切断指示を伝える。各電源供給部４＿１´，４＿２´，…,４＿Ｎ´では、工場の電源側のＡＣライン７＿１，７＿２，７＿３とサーバ装置１側のＡＣライン６＿１，６＿２，…，６＿Ｎとが切断され（図８のステップＳ５２）、接続時間後に、工場の電源側のＡＣライン７＿１，７＿２，７＿３とサーバ装置１側のＡＣライン６＿１，６＿２，…，６＿Ｎとが再接続される（図８のステップＳ３８）。
【００５８】
このように、本実施形態によると、サーバ装置１からＡＣライン接続切断試験ユニット２にシャットダウンの開始を通知する必要がなく、ＡＣライン接続切断試験ユニット２側でサーバ装置１の起動／シャットダウン状態を検出することができる。このため、例えば、サーバ装置１に異常が発生してシャットダウンが終了しない場合であっても、ＡＣラインを切断してしまう不具合を防止することができ、データや電子機器の破壊を防止することができる。
【００５９】
ここで、上記では、「課題を解決するための手段」で説明した情報処理装置の一例としてサーバ装置が示されているが、この情報処理装置は、自動起動機能や自動シャットダウン機能を備えたものであれば、通常のパーソナルコンピュータなどであってもよい。
【図面の簡単な説明】
【００６０】
【図１】電源試験システムの概略構成図である。
【図２】ＡＣライン接続切断試験ユニットの機能ブロック図である。
【図３】ＡＣコンセント部における接続を示す図である。
【図４】サーバ装置に対して電源試験を行うときの、サーバ装置およびＡＣライン接続切断試験ユニットそれぞれにおける処理の流れを示すフローチャート図である。
【図５】第２実施形態における電源試験システムの概略構成図である。
【図６】電源供給部におけるＡＣラインの接続／切断タイミングを示すタイミングチャート図である。
【図７】第３実施形態におけるＡＣライン接続切断試験ユニットの機能ブロック図である。
【図８】第３実施形態におけるサーバ装置およびＡＣライン接続切断試験ユニットそれぞれの処理の流れを示すフローチャート図である。
【符号の説明】
【００６１】
１    サーバ装置
２    ＡＣライン切断接続試験ユニット
５    通信ライン
６    ＡＣライン
１０    テストプログラム
１１    算出機能
１２    通信機能
１３    通知機能
１４    表示機能
１５    制御機能
３１    電力入力部
３２    レギュレータ
３３    ＯＳＣ
３４    リセット部
３５    通信ポート
３６    ＭＣＵ
【図１】
2009187051.tif 000003
【図２】
2009187051.tif 000004
【図３】
2009187051.tif 000005
【図４】
2009187051.tif 000006
【図５】
2009187051.tif 000007
【図６】
2009187051.tif 000008
【図７】
2009187051.tif 000009
【図８】
2009187051.tif 000010